(57)【特許請求の範囲】
【請求項１】
既設の管の端部の外周に形成されたカラーの内部に新たな管の接合端部を挿入して両管を互いに接合するに際し、この新たな管における前記接合端部とは反対側の端部に、この反対側の端部の端面に接する押圧部と、この反対側の端部の外周に形成されたカラーの先端部に引っ掛かるフック部とを備えた接合治具を装着して、この接合治具を管内における既設の管側から牽引することを特徴とする管の内面接合方法。
【請求項２】
既設の管に新たな管を接合させる際に、この新たな管における接合端部とは反対側の端部に装着されるとともに、管内における既設の管側から牽引されることによって、新たな管の接合端部を既設の管の端部の外周に形成されたカラーの内部に挿入させるための治具であって、前記新たな管の反対側の端部の端面に接する押圧部と、この反対側の端部の外周に形成されたカラーの先端部に引っ掛かるフック部とを備えたことを特徴とする管の内面接合治具。
【発明の詳細な説明】
【０００１】
【発明の属する技術分野】
本発明は管の内面接合方法およびそのための治具に関する。
【０００２】
【従来の技術】
管路を構成するための樹脂管として、既設の管の端部の外周に形成されたカラーの内部に新たな管の接合端部を挿入して両管を互いに接合するようにした、カラー形式の継手構造を持つ樹脂管がある。この種の樹脂管のうち、ＦＲＰＭ管のような口径の大きな樹脂管は、内面から接合されることが多い。
【０００３】
図４は、この種の樹脂管についての従来の内面接合方法を示すものである。ここで、１は既設の管であり、水平方向に敷設されている。この管１は、その端部の外周にカラー２が管軸方向に突出した外ばめ状態で形成されている。また３は新たな管であり、既設の管１のカラー２に挿入される接合端部４を一端側に有するとともに、反対側の端部５の外周には同様のカラー２を有している。６は端部５の端面であり、カラー２の内周側に形成されている。
【０００４】
このような構成の管１、３どうしを接合する際には、管内における既設の管１、１どうしの接合端部４と端部５との隙間７に接合装置８を引っ掛ける。この接合装置８は、移動用の車輪９を有した台車構造のものとされ、管２の内部を管軸方向に自由に移動可能である。また、新たに接合する管３の端面６に接合治具１０を装着する。この接合治具１０は、棒状または板状に形成され、管３の径方向に沿った方向に配置されて、その一端および他端がそれぞれ端面６に接した状態で装着される。そして、接合装置８と接合治具１０との間にワイヤ１１をわたし、このワイヤ１１によって接合治具１０に引き込み力を作用させて牽引することで、新たな管３を既設の管１に向けて移動させ、新たな管３の接合端部４を既設の管１のカラー２の内部に挿入する。１２はシールパッキンであり、新たな管３の接合端部４の外周に取り付けられて、カラー２の内周と接合端部４の外周との間をシールする。
【０００５】
このように新たな管３の端部５に治具１０を用いている理由は、この新たな管３のカラー２に引き込み力を作用させると、このカラー２における特に端部５への取付け部に異常を生じる場合があるためである。
【０００６】
【発明が解決しようとする課題】
しかし、特に大口径の管の場合には、接合治具１０も大きくなってその重量が大きく、したがって取り扱い不便であるうえに、図示のように新たな管３の開口部における径方向に沿った方向に装着されることで、作業者が管３への出入りを行いにくくなるという問題点がある。
【０００７】
そこで本発明は、このような問題点を解決して、接合する管の口径が大きくても接合治具の取り扱いが容易で、しかも新たに接合する管の開口部を広く開くことができるようにすることを目的とする。
【０００８】
【課題を解決するための手段】
この目的を達成するため本発明は、既設の管の端部の外周に形成されたカラーの内部に新たな管の接合端部を挿入して両管を互いに接合するに際し、この新たな管における前記接合端部とは反対側の端部に、この反対側の端部の端面に接する押圧部と、この反対側の端部の外周に形成されたカラーの先端部に引っ掛かるフック部とを備えた接合治具を装着して、この接合治具を管内における既設の管側から牽引するものである。
【０００９】
また本発明は、既設の管に新たな管を接合させる際に、この新たな管における接合端部とは反対側の端部に装着されるとともに、管内における既設の管側から牽引されることによって、新たな管の接合端部を既設の管の端部の外周に形成されたカラーの内部に挿入させるための治具が、前記新たな管の反対側の端部の端面に接する押圧部と、この反対側の端部の外周に形成されたカラーの先端部に引っ掛かるフック部とを備えたものである。
【００１０】
したがって本発明によると、接合治具は、新たな管の端部の端面に接する押圧部と、この端部の外周に形成されたカラーの先端部に引っ掛かるフック部とを備えているだけで足り、この新たな管の端面とそのカラーの先端部における周方向の一部分に装着するだけでよいため、新たな管の開口部における径方向にわたって装着する必要がなく、したがって小形かつ軽量に構成できて取り扱いが容易であり、また新たな管の開口部が広く開くことによって良い作業環境を得ることが可能となる。
【００１１】
【発明の実施の形態】
図２において、３は既設の管に接合される水平方向の新たな管であり、図４に示したものと同様の構成であって、カラー２と、このカラー２が外ばめ状態で固定されている端部５と、その端面６とを有する。２１は本発明にもとづく接合治具で、管３のカラー２および端部５の周方向に沿って互いに１８０度の間隔をおいた二箇所の位置、すなわち水平な管径方向に沿った二箇所の位置に、それぞれ装着されている。１１はワイヤである。
【００１２】
図１は、この接合治具２１の詳細構造を示す。この接合治具２１は、フック構造とされて、押圧部２２とフック部２３とを備えている。押圧部２２は、管３の端面６に接するように構成されて、この端面６に、管３に対し管軸方向に作用する既設の管への引き込み力Ｆを付与させることが可能である。そして押圧部２２は、強度上の問題なく引き込み力Ｆを付与させることができるように、管３の径方向および周方向に沿ってそれぞれ適当寸法を有するように構成されている。フック部２３は、カラー２の先端開口部に引っ掛かるように構成されている。ただし、このフック部２３は、図示のようにカラー２に対し管径方向にのみ引っ掛かり、管軸方向には引っ掛からないように構成されている。また接合治具２１には、押圧部２２よりも管径方向に沿った内側の位置、すなわち端部５における管壁よりも管内側の位置に、管３の内部に通されたワイヤ１１を接続するためのワイヤ接続部２４が設けられている。このワイヤ接続部２４は、ボルト・ナットなどによって構成することができる。
【００１３】
このような構成において、新たな管３を既設の管と接合する際には、上述のように一対の接合治具１０を管３における水平な径方向に沿った二箇所の位置に装着し、押圧部２２を端面６に接触させるとともに、フック部２３をカラー２の先端開口部に引っ掛ける。そして、接続部２４にワイヤ１１を接続して、このワイヤ１１を既設の管の方へ引っ張る。
【００１４】
すると、このワイヤ１１からの引き込み力によって押圧部２２が管３の端部５を押し、それによって管３を既設の管１に向けて移動させ、両者を接合させることができる。このとき、接続部２４が押圧部２２よりも管径方向の内側に位置するため、ワイヤ１１による牽引を行うとそれにもとづくモーメントが作用し、押圧部２２が管径方向の内向きの方向Ｄに回転移動しようとするが、フック部２３がカラー２の先端部に引っ掛かっているため、このような回転移動の発生が防止され、したがって押圧部２２が端面６から離脱することが防止される。しかも、フック部２３は単にカラー２に引っ掛かっているだけであり、カラー２の端面には接していないため、カラー２には引き込み力が伝達されず、したがってその付け根の部分に異常が発生することも防止される。
【００１５】
図３は、接合治具２１の他の例を示す。この図３の接合治具２１は、カラー２の内周にシールパッキン１２が取り付けられた構成の管３に適用できるもので、。フック部２３におけるシールパッキン１２に対応する部分に、このシールパッキン１２を避けるための切欠部２５が形成されている。
このように、押圧部２２とフック部２３とを備えた一対の接合治具２１を、管３における周方向の二箇所の位置すなわちたとえば上述のように水平な径方向に沿った二箇所の位置に装着して、それぞれをワイヤ１１で牽引すればよいので、接合治具を新たな管３の開口部における径方向にわたって装着する必要がなく、したがって小形かつ軽量に構成できて取り扱いが容易であり、また新たな管３の開口部が広く開くことになって良い作業環境を得ることができる。
【００１６】
なお、上記においては一対の接合治具２１を管３における水平な径方向沿った二箇所の位置に装着したものを例示したが、これに代えて、たとえば垂直な径方向に沿った二箇所の位置に装着することもできる。また、管３の周方向に沿った三箇所以上の位置に装着することもでき、可能であれば一箇所の位置に装着しただけの状態で作業することもできる。
【００１７】
【発明の効果】
以上のように本発明によると、既設の管の端部の外周に形成されたカラーの内部に新たな管の接合端部を挿入して両管を互いに接合するに際し、この新たな管における前記接合端部とは反対側の端部に、この反対側の端部の端面に接する押圧部と、この反対側の端部の外周に形成されたカラーの先端部に引っ掛かるフック部とを備えた接合治具を装着して、この接合治具を管内における既設の管側から牽引するため、接合治具は、新たな管の端部の端面に接する押圧部と、この端部の外周に形成されたカラーの先端部に引っ掛かるフック部とを備えているだけで足り、この新たな管の端面とそのカラーの先端部における周方向の一部分に装着するだけでよいため、新たな管の開口部における径方向にわたって装着する必要がなく、したがって小形かつ軽量に構成できて取り扱いが容易であり、また新たな管の開口部が広く開くことによって良い作業環境を得ることができる。
【図面の簡単な説明】
【図１】本発明の実施の形態の管の内面接合治具を示す図である。
【図２】図１の接合治具を用いた管の接合作業を示す図である。
【図３】本発明の他の実施の形態の管の内面接合治具を示す図である。
【図４】従来の管の内面接合治具およびこの治具を用いた管の接合作業を示す図である。
【符号の説明】
２    カラー
３    新たな管
５    端部
６    端面
２１    接合治具
２２    押圧部
２３    フック部
【図１】
0003724971.tif 000002
【図２】
0003724971.tif 000003
【図３】
0003724971.tif 000004
【図４】
0003724971.tif 000005